(57)【要約】【課題】文章データと画像データを別々に入力して簡易にそれらが混在する文章を出力できるプリンタを提供することを目的とする。【解決手段】画像入力装置より入力した画像データを記憶する画像記憶手段と、情報機器より入力した文章データを解析し、文章と画像コードを判別する解析手段と、判定した画像コードに相当する画像データを印刷イメージに展開する展開手段とを備える。【選択図】　　　　図１
2004050586.tif 000002
【特許請求の範囲】
【請求項１】
画像入力装置より入力した画像データを記憶する画像記憶手段と、情報機器より入力した文書データを解析し、文章と画像コードを判別する解析手段と、判定した画像コードに相当する画像データを印刷イメージに展開する展開手段とを備えることを特徴とするポータブルプリンタ。
【請求項２】
情報機器より入力した文章データを解析し、文章と画像コードを判別する解析手段と、判定した画像コードに相当する画像データを画像入力装置より取得する取得手段と、前期画像データを印刷イメージに展開する展開手段とを備えることを特徴とするポータブルプリンタ。
【発明の詳細な説明】
【０００１】
【発明の属する技術分野】
本発明は携帯可能なプリンタに関わる技術である。
【０００２】
【従来の技術】
昨今ではＰＤＡ（Ｐｅｒｓｏｎａｌ　Ｄａｔａ　Ａｓｓｉｓｔａｎｃｅ）と呼ばれる個人用の携帯情報端末が広く普及してきている。ＰＤＡは携帯性が高く便利だが、ＲＡＭなどのリソースや表示画面の制限のため文章と画像が混在するデータを取り扱うには不向きである。
【０００３】
【発明が解決しようとする課題】
しかし例えばユーザが出張先でレポートを作成するような場合、移動時間を利用して手軽な携帯端末で文章を編集し、それにデジタルカメラのような映像機器からの画像を貼り付けた文書を紙に出力できればノートパソコンのような重い機器を持ち歩く必要がなくなり便利であるが現在はこのような仕組みは実現されていない。
【０００４】
本発明はこのような問題点に鑑みなされたものであって、文章データと画像データを別々に入力して簡易にそれらが混在する文書を出力できるプリンタを提供することを目的とする。
【０００５】
【課題を解決するための手段】
上記の目的を達成するために本発明に係るポータブルプリンタは、画像入力装置より入力した画像データを記憶し、情報機器より入力された文書データより文章と画像コードを判別し、判定した画像コードに相当する画像データを印刷イメージに展開することを特徴としている。
【０００６】
【発明の実施の形態】
以下、本発明の実施の形態を図面に基づいて詳説する。
【０００７】
図１は本発明に係るポータブルプリンタを含む系の一実施の形態を示すブロック構成図である。該プリンタ１はポータブルプリンタであって、内蔵するバッテリにより動作することができる。またプリンタ１は、画像入力装置としてのデジタルカメラ２、ＰＤＡ３とデータ通信が可能である。
【０００８】
インタフェース１０はプリンタ１上にあって、外部の機器とデータ送受信をする。携帯情報機器間での通信には赤外線インタフェースＩｒＤＡが用いられることが多いが、その他の無線インタフェースであっても、また有線インタフェースであってもかまわない。また、本実施例ではプリンタ１はインタフェースを１つだけ備えているが、複数のインタフェースを備え、デジタルカメラ２、ＰＤＡ３とがそれぞれ異なるインタフェースに接続されている構成であってもかまわない。
【０００９】
画像記憶装置１１はインタフェース１０が画像入力装置より受信した画像データを蓄積する。文章記憶装置１２はインタフェース１０がＰＤＡより受信した文章データを蓄積する。解析装置１３は文章記憶装置１２に蓄積された文章データを解析し、データが文章であればフォント１４より文字イメージを取得、展開し、データが画像コードであれば画像記憶装置１１より相当する画像データを取得、加工、展開し、印刷エンジン１５に渡す。
【００１０】
オペレータはＰＤＡ３上で任意の文章データを編集し、インタフェースを介してプリンタ１に転送することができる。
【００１１】
プリンタ１はデジタルカメラ２に任意の画像データの転送を要求することができる。
【００１２】
図２は実施例の動作を示したフローチャートである。
Ｓ１でプリンタ１はオペレータの指示に従いデジタルカメラ２に全画像データの転送を要求する。転送された画像データはデジタルカメラ２からインタフェース１０を経由して画像記憶装置１１に格納される。
【００１３】
Ｓ２でオペレータがＰＤＡ３からプリンタ１に編集済みの文章データを転送すると、その文章データはインタフェース１０を経由して文章記憶装置１２に格納される。文章データの１例を図３に示す。この例では画像コードとして図４で示す書式の文字列を埋め込むことで画像データ展開位置およびその加工方法を示している。文章データの転送が終了するとＳ４に進む。
【００１４】
Ｓ４では解析装置１３が文章記憶装置１２に蓄積された文章データを解析し、未解析データの先頭要素が画像コードであればＳ５に進み、画像記憶装置１１より相当する画像データを取得、展開し、印刷エンジン１５に渡す。逆に未解析データの先頭要素が文章であると判定された場合はＳ６に進み、フォント１４より文字イメージを取得、展開し、印刷エンジン１５に渡す。
【００１５】
Ｓ７で印刷エンジン１５は展開されたデータを元に印字を行う。
【００１６】
上記Ｓ４からＳ７の処理を繰り返し、文章記憶装置１２上の全文章データが展開されるとＳ３により一連の処理は終了する。その結果、プリンタは図５のような目的の文書を印字することができる。
【００１７】
なお本実施例ではＳ１において画像データの転送をプリンタ１主導で行っているが、デジタルカメラ２の主導で転送を行う形態であってもかまわない。
【００１８】
（発明の実施の形態その２）
記憶領域の制限などのために、前期実施例のように画像記憶装置１１が画像入力機器の全ての画像データを格納することが難しい場合には、図６のようにオンデマンドで画像データの転送を要求することで同様の系を実現できる。
【００１９】
Ｓ２´でオペレータがＰＤＡ３からプリンタ１に編集済みの文章データを転送すると、その文章データはインタフェース１０を経由して文章記憶装置１２に格納される。
【００２０】
Ｓ４´では解析装置１３が文章記憶装置１２に蓄積された文章データを解析し、未解析データの先頭要素が画像コードであればＳ１´に進む。Ｓ１´でプリンタ１はオペレータの指示に従いデジタルカメラ２に目的の画像データの転送を要求する。転送された画像データはデジタルカメラ２からインタフェース１０を経由して画像記憶装置１１に格納される。Ｓ５´で解析装置１３は画像記憶装置１１より画像データを取得、展開し、印刷エンジン１５に渡す。逆に未解析データの先頭要素が文章であると判定された場合はＳ６´に進み、フォント１４より文字イメージを取得、展開し、印刷エンジン１５に渡す。
【００２１】
Ｓ７´で印刷エンジン１５は展開されたデータを元に印字を行う。
【００２２】
Ｓ３´で文章記憶装置１２上の文章データの展開が終了したと判定されるまで、上記Ｓ４´からＳ７´の処理を繰り返すことで、プリンタは前期実施例１と同等の文書を印字することができる。
【００２３】
【発明の効果】
以上詳述したように本発明によれば、画像入力装置より入力した画像データを記憶し、情報機器より入力した文書より文章と画像コードを判別し、判定した画像コードに相当する画像データを印刷イメージに展開することで文章データと画像データを別々に入力して簡易にそれらが混在する文書を出力できるプリンタを提供することができる。
【図面の簡単な説明】
【図１】本発明に係るポータブルプリンタを含む系の一実施の形態を示すブロック構成図である。
【図２】本発明に係るポータブルプリンタを含む系の一実施の処理の流れを表すフローチャートである。
【図３】ＰＤＡ上で編集された文書データの例である。
【図４】文書データに埋め込まれた画像コード情報の一例である。
【図５】出力結果の例である。
【図６】本発明に係るポータブルプリンタを含む系の一実施の処理の流れを表すフローチャートである。
【符号の説明】
１　　プリンタ
２　　デジタルカメラ
３　　ＰＤＡ
１０　インタフェース
１１　画像記憶装置
【図１】
2004050586.tif 000003
【図２】
2004050586.tif 000004
【図３】
2004050586.tif 000005
【図４】
2004050586.tif 000006
【図５】
2004050586.tif 000007
【図６】
2004050586.tif 000008